(57)【要約】【課題】仮置きしたロールペーパーを１つ１つ持って本体ケーシングに収納させることができるとともに、補充作業時に補充状態を容易に確認することができるロールペーパーホルダーを提供すること。【解決手段】本発明に係るロールペーパーホルダーは、複数のロールペーパーの中心軸を横にした状態で水平方向に並置して収納可能なロールペーパーホルダーであって、前記ロールペーパーホルダーの外郭を構成する本体ケーシングの上面は平坦面であって、前記本体ケーシングの前面には一端側に位置するロールペーパーから他端側に位置するロールペーパーの収納状態を視認可能となるように横長に開口した残量確認開口部が形成されていることを特徴とする。【選択図】図１
2013153941.tif 000002
【特許請求の範囲】
【請求項１】
複数のロールペーパーの中心軸を横にした状態で水平方向に並置して収納可能なロールペーパーホルダーであって、前記ロールペーパーホルダーの外郭を構成する本体ケーシングの上面は平坦面であって、前記本体ケーシングの前面には一端側に位置するロールペーパーから他端側に位置するロールペーパーの収納状態を視認可能となるように横長に開口した残量確認開口部が形成されていることを特徴とするロールペーパーホルダー。
【請求項２】
前記本体ケーシングにおいて、前記上面と前記前面とは金属板体が屈曲されることによって構成されていることを特徴とする請求項１に記載のロールペーパーホルダー。
【請求項３】
前記本体ケーシングにおいて、前記ロールペーパーホルダーが取り付けられる施工壁面に対向した背面も前記上面と前記前面とを構成する前記金属板体を屈曲して構成されており、前記背面には前記施工壁面に固定される幅広のバックハンガーを挿入するために幅広に開口した取付開口部が形成されていることを特徴とする請求項１又は請求項２に記載のロールペーパーホルダー。
【請求項４】
前記背面の下端には、前方からビスを挿入可能なビス孔があることを特徴とする請求項１乃至請求項３のいずれか１項に記載のロールペーパーホルダー。
【請求項５】
前記前面には、ロールペーパーからペーパーを引き出すための引出開口部が形成されており、前記残量確認用開口部は、前記引出開口部よりも上方に独立して開口していることを特徴とする請求項１乃至請求項４のいずれか１項に記載のロールペーパーホルダー。
【請求項６】
前記本体ケーシングの側面には開閉可能な扉体が形成されており、前記扉体の周面には、前記上面と前記前面とに対向して配置され、扉体が閉じた状態で本体ケーシング内に収納される折り返し部が形成されていることを特徴とする請求項１乃至請求項５のいずれか１項に記載のロールペーパーホルダー。
【請求項７】
前記扉体の前記折り返し部と前記本体ケーシングとの重合部には鍵部か形成されていることを特徴とする請求項１乃至請求項６のいずれか１項に記載のロールペーパーホルダー。
【請求項８】
公共トイレ操作系ＪＩＳへ対応して施工されているトイレルームに取付けられることを特徴とする請求項１乃至請求項７のいずれか１項に記載のロールペーパーホルダー。
【発明の詳細な説明】
【技術分野】
【０００１】
本発明は、ロール状に巻回されたロールペーパーを複数載置し、そのうちの一つのロールペーパーから引出されたペーパーを切断するロールペーパーホルダーに関するものであり、例えば、トイレ空間の壁面に取り付けてロールペーパーを保持・切断するのに利用可能なロールペーパーホルダーに関する発明である。
【背景技術】
【０００２】
従来のロールペーパーホルダーに、使用中のロールペーパーのロール芯を軸棒で支持せずに、使用中のロールペーパーを載置部で支持し、スペアのロールペーパーも隣接させて配置させておき、使用中のロールペーパーが使い終わるとスペアのロールペーパーを引出可能な載置部にスライドし、スペアのロールペーパーを使用可能にするものがある。（特許文献１参照）
【０００３】
特許文献１のロールペーパーホルダーは、使用中のロールペーパーが使い終わった際に、ケーシングに形成されたロール押圧孔に指を入れ、スペアのロールペーパーを所定の位置にスライドさせることで、スペアのロールペーパーを使用可能とすることができる。また、ロールペーパーがロール芯のあるタイプであっても、芯取出口に指を入れてロール芯を取り出せるように工夫されている。
【先行技術文献】
【特許文献】
【０００４】
【特許文献１】特開昭５０−０１５６７４号公報
【発明の概要】
【発明が解決しようとする課題】
【０００５】
しかしながら、上記のロールペーパーホルダーは、ロールペーパーホルダー内にロールペーパーが残っていない場合、ロールペーパーを１つ１つ持って補充することになるが、ロールペーパーホルダーの上部に設けられたカバー部材を開けた状態でロールペーパーを補充するため、複数のロールペーパーを仮置きすることができるスペースがなく、ロールペーパーホルダーにロールペーパーを補充する作業がやりにくく、場合によってはロールペーパーを床に落としてしまうという問題があった。
【０００６】
また、上記のロールペーパーホルダーは、ケーシングにはロール押圧孔や芯取出口が開口して形成されるものの、複数のロールペーパーがカバー部材によって覆われる構成であるため、ロールペーパーホルダー内にどれくらいのロールペーパーが残っているか一目で確認することができず、管理者が頻繁にロールペーパーホルダーを開けてロールペーパーホルダー内にロールペーパーが残っているか確認する必要があるという問題があった。
【０００７】
そこで、本発明は、従来の技術の問題点を解決するために、仮置きしたロールペーパーを１つ１つ持って本体ケーシングに収納させることができるとともに、補充作業時に補充状態を容易に確認することができるロールペーパーホルダーを提供することを目的としている。
【課題を解決するための手段】
【０００８】
上記課題を解決するために本発明に係るロールペーパーホルダーは、複数のロールペーパーの中心軸を横にした状態で水平方向に並置して収納可能なロールペーパーホルダーであって、前記ロールペーパーホルダーの外郭を構成する本体ケーシングの上面は平坦面であって、前記本体ケーシングの前面には一端側に位置するロールペーパーから他端側に位置するロールペーパーの収納状態を視認可能となるように横長に開口した残量確認開口部が形成されていることを特徴とする。
【０００９】
本発明では、上面が平坦面であるため、そこを棚として利用してロールペーパーを仮置きしておくことが可能となり、その仮置きしたロールペーパーを１つ１つ持って本体ケーシングに収納させることができ、しかも、その補充作業時に、前面の残量確認開口部からロールペーパーの補充状態を容易に確認することができ、補充作業者の作業性を向上させることができる。
【００１０】
また、本発明に係るロールペーパーホルダーは、前記本体ケーシングにおいて、前記上面と前記前面とは金属板体が屈曲されることによって構成されていることも好ましい。
【００１１】
この好ましい様態では、上面と前面とは連続した金属板体であるため、本体ケーシングの水平方向の加重が加わった場合であっても、それによる撓みを少なくでき堅牢性に優れる。
【００１２】
また、本発明に係るロールペーパーホルダーは、前記本体ケーシングにおいて、前記ロールペーパーホルダーが取り付けられる施工壁面に対向した背面も前記上面と前記前面とを構成する前記金属板体を屈曲して構成されており、前記背面には前記施工壁面に固定される幅広のバックハンガーを挿入するために幅広に開口した取付開口部が形成されていることも好ましい。
【００１３】
この好ましい様態では、上面と背面とは連続した金属板体であるため、上面からの加重か加わった際に背面との屈曲面から折れることがなく背面を介して施工壁面へ加重を伝えて幅広のバックハンガーによって加重を分散させることができ、固定強度に優れる。
【００１４】
また、本発明に係るロールペーパーホルダーは、前記背面の下端には、前方からビスを挿入可能なビス孔があることも好ましい。
【００１５】
この好ましい態様では、背面の下端に前方からビスを挿入可能なビス孔があるため、ロールペーパーホルダーを直接施工壁面に固定できるとともに、ロールペーパーホルダーの固定箇所を見えにくくすることができ、作業性を確保しつつデザイン性に優れる。
【００１６】
また、本発明に係るロールペーパーホルダーは、前記前面には、ロールペーパーからペーパーを引き出すための引出開口部が形成されており、前記残量確認用開口部は、前記引出開口部よりも上方に独立して開口していることも好ましい。
【００１７】
この好ましい態様では、残量確認用開口部が引出開口部よりも上方に独立して開口しているため、ロールペーパーの補充作業時に、ロールペーパーが引出可能な引出開口部近傍にロールペーパーを配置できたか残量確認開口部からロールペーパーの位置を確認しやすくなり、補充作業者の作業性をより向上させることができる。
【００１８】
また、本発明に係るロールペーパーホルダーは、前記本体ケーシングの側面には開閉可能な扉体が形成されており、前記扉体の周面には、前記上面と前記前面とに対向して配置され、扉体が閉じた状態で本体ケーシング内に収納される折り返し部が形成されていることも好ましい。
【００１９】
この好ましい態様では、扉体の周面に上面と前面とに対向する折り返し部が形成されているため、本体ケーシングに加重が加わった場合、扉体が閉じた状態であれば折り返し部による反作用の力が働き本体ケーシングが変形しにくく、本体ケーシングの堅牢性を向上させることができる。
【００２０】
また、本発明に係るロールペーパーホルダーは、前記扉体の前記折り返し部と前記本体ケーシングとの重合部には鍵部か形成されていることも好ましい。
【００２１】
この好ましい態様では、折り返し部と本体ケーシングの重合部に鍵部が形成されているため、本体ケーシングの堅牢性を向上させるために設けた扉体の折り返し部を利用することで鍵部の構成を簡易なものとすることができる。
【００２２】
また、本発明に係るロールペーパーホルダーは、公共トイレ操作系ＪＩＳへ対応して施工されているトイレルームに取付けられることも好ましい。
【００２３】
この好ましい態様では、ロールペーパーホルダーが公共トイレ操作系ＪＩＳへ対応して施工されているトイレルームに取付けられても、例えばロールペーパーホルダーの上方に便器洗浄ボタンや呼出ボタンを配置させる場合でも、複数のロールペーパーの中心軸を横にした状態で水平方向に並置して収納可能であるため、補充作業者の作業性等には変わりがない。
【発明の効果】
【００２４】
本発明によれば、置きしたロールペーパーを１つ１つ持って本体ケーシングに収納させることができるとともに、補充作業時に補充状態を容易に確認することができるロールペーパーホルダーを提供することができる。
【図面の簡単な説明】
【００２５】
【図１】本発明の実施形態であるロールペーパーホルダーを示す斜視図である。
【図２】図１の他方側から見たロールペーパーホルダーを示す斜視図である。
【図３】図１のロールペーパーホルダーの分解斜視図である。
【図４】図１のロールペーパーホルダーの縦断面図である。
【図５】図１のロールペーパーホルダーを固定するバッハンガーを示す斜視図である。
【図６】図１のロールペーパーホルダーをトイレ空間に設置した状態を示す図である。
【発明を実施するための形態】
【００２６】
以下、添付図面を参照しながら本発明の実施形態であるロールペーパーホルダーについて説明する。説明の理解を容易にするため、各図面において同一の構成要素に対しては可能な限り同一の符号を付して、重複する説明は省略する。
【００２７】
図１及び図２は、本発明の実施形態であるロールペーパーホルダー１を示す斜視図である。ロールペーパーホルダー１にはロールペーパーの中心軸が横にした状態で複数のロールペーパーが水平方向に並べて載置されるように構成される。
【００２８】
ロールペーパーホルダー１は、使用中のロールペーパーを載置部３で支持し、スペアのロールペーパーも隣接させて載置部３に配置させておき、使用中のロールペーパーが使い終わるとスペアのロールペーパーを引出可能な載置部３にスライドし、スペアのロールペーパーが使用可能になる。
【００２９】
載置部３に並べて載置された複数のロールペーパーは、ロールペーパーホルダー１の外郭を構成する本体ケーシング２によって覆われており、本体ケーシング２は、金属板体１０で形成された上面４、前面６、背面１４、側面２３によって構成される。
【００３０】
本体ケーシング２の上面４には、平坦面が形成されており、その平坦面を棚として利用してロールペーパーを仮置きしておくことが可能となっている。本体ケーシング２の上面４の全体が平坦面であることが好ましいが、上面４における手前側の一部をＲ形状にしても良い。
【００３１】
本体ケーシング２の前面６には、載置部３に並べて載置された一端側に位置するロールペーパーから他端側に位置するロールペーパーの収納状態を視認可能となるように横長に開口した残量確認開口部８が形成されている。
【００３２】
図１に示すように、本体ケーシング２の前面６に残量確認開口部８が形成されることにより、ロールペーパーの補充作業時に、前面の残量確認開口部８からロールペーパーの補充状態を容易に確認することができ、ロールペーパーの補充作業者の作業性を向上させることができる。
【００３３】
また、残量確認開口部８は、ロールペーパーの補充作業時に管理者が立ったまま、本体ケーシング２の内部の状態を確認しやすく、スペアのロールペーパーを指でスライド移動させやすくするために、本体ケーシング２の前面６において下方ではなく上方にあることが好ましい。
【００３４】
また、残量確認開口部８は、トイレ使用者も、入室時にロールペーパーの残量を容易に確認することができるため、安心してトイレを使用することができる。また、従来のスペア付ロールペーパーホルダーのような複雑な機構を用いていないため、壊れてロールペーパーを使用できないことや、詰まったロールペーパーを取り出すために、破壊してしまうこともない。
【００３５】
また、残量確認開口部８は、前面６のみに開口され、前面６から側面２３まで開口が回りこんでいないため、残量確認開口部８に前面６と側面２３が交わる角部が形成されることがなく、その角部で指を怪我する心配もない。
【００３６】
また、本体ケーシング２の前面６には、残量確認開口部８だけでなく、ロールペーパーからペーパーを引き出すための引出開口部２２が形成されており、残量確認用開口部８がこの引出開口部２２よりも上方に独立して開口している。
【００３７】
この構成によってロールペーパーの補充作業時に、ロールペーパーが引出可能な引出開口部近２２傍にロールペーパーを配置できたか残量確認開口部８からロールペーパーの位置を確認しやすくなり、補充作業者の作業性をより向上させることができる。
【００３８】
また、本体ケーシング２のいずれか一方の側面２３には、手動によって開閉可能な扉体２４が形成されている。側面２３に形成された扉体２４を開ければ、本体ケーシング２にロールペーパーを収納させることが可能になる。
【００３９】
図１に示すように、扉体２４の周面には、上面４と前面６とに対向して配置され、扉体が閉じた状態で本体ケーシング内に収納される折り返し部２６が形成される。図１の扉体２４には、上面４と前面６との両方に対向するように折り返し部２６が形成されるが、どちらか一方に形成させても良い。
【００４０】
折り返し部２６が形成されているため、本体ケーシング２に加重が加わった場合、扉体２４が閉じた状態であれば折り返し部２６による反作用の力が働き本体ケーシング２が変形しにくく、本体ケーシング２の堅牢性を向上させることができる。
【００４１】
尚、扉体２４の折り返し部２６は、上面４の裏面と前面６の裏面に当接する構成にすることが好ましく、その構成によって折り返し部２６による反作用の力が直接本体ケーシング２に働くようになるため、本体ケーシング２の堅牢性をより向上させることができる。
【００４２】
また、本体ケーシング２の前面６であって折り返し部２６と本体ケーシング２の重合部に鍵部２８が形成されているため、本体ケーシング２の堅牢性を向上させるために設けた扉体２４の折り返し部２６を利用することで鍵部２８の構成を簡易なものとすることができる。
【００４３】
図１や図２に示すように、本発明の実施形態である本体ケーシング２は、金属板体１０を屈曲することによって上面４、前面６、背面１４のそれぞれが連続して構成されているため、本体ケーシング２に加重が加わったとしても、本体ケーシング２の堅牢性を確保することができる。
【００４４】
具体的には、本体ケーシング２の水平方向の加重が加わった場合であっても、本体ケーシング２の撓みを少なくできるとともに、本体ケーシング２の垂直方向の加重か加わった場合であっても、背面１４との屈曲面から折れることがないため、本体ケーシング２の堅牢性に優れる。
【００４５】
また、折り返し部２６で、補充作業者が補充したロールペーパーを、扉２４を閉めた際、正しいセット位置まで押し込んで、残量確認開口部８より指をロールペーパーの端に入れやすいように隙間を確保することができる。
【００４６】
また、扉２４が、本体ケーシング２より内側にオフセットさせることや、折り返し部２６を設けることにより、ロールペーパーを盗難目的でマイナスドライバーなどを用いてこじ開けようとしても差込づらく破壊、盗難されにくい構造となる。また、仮に蓋２４をこじ開けられても、破壊する部分を交換しやすい鍵２８とし、交換しづらく高価な本体ケーシング２や扉２４は壊れづらいものとする。
【００４７】
図３は、図１のロールペーパーホルダー１の分解斜視図である。ロールペーパーホルダー１は、ロールペーパーを戴置するための戴置部３、使用されるロールペーパーを載置するとともに横ズレを防止するストッパー４２、紙切歯４４を備えている。
【００４８】
ストッパー４２は、ロールペーパーが横方向おいて所定の位置からずれないように位置決めの機能を有しており、ロールペーパーが載置部３を転動する際に摺動抵抗が大きくならないＰＰ（ポリプロピレン）等で形成されることが好ましい。
【００４９】
載置部３は、施工壁面１２に沿って固定される固定部４６から前方に下り傾斜となる下降部４８と、下降部４８の前方から昇り傾斜となり、前方に紙切歯４４が設けられる上昇部５０と、下降部４８と上昇部５０との側方に形成された側壁部５２から構成される。
【００５０】
紙切歯４４の材質は、ゴム系等の摩擦力の大きい材料が考えられ、ペーパーカット時には、ペーパーが横滑りするのを防止してカット性を良くするため、無数の突起部をランダムに配置することで引っ掛かり作用を持たせ、先端に設けた凹凸の紙切歯によってスムーズなカットができる。
【００５１】
載置部３の下降部４８と上昇部５０の変曲点には、一定の幅で載置開口部５４を設けることで、ロールペーパーを使用することにより発生する紙粉（塵）や、悪戯や清掃時に溜まった液体等を排出することができる。
【００５２】
図４は、図１のロールペーパーホルダーの縦断面図である。図５は、図１のロールペーパーホルダーを固定するバッハンガーを示す斜視図である。以下、図４及び図５を用いてバックハンガー１６の具体的構成を説明する。
【００５３】
本体ケーシング２の背面１４には、ロールペーパーホルダー１が取り付けられる施工壁面１２にビス等で固定される幅広のバックハンガー１６を挿入するために幅広に開口した取付開口部１８が形成されている。
【００５４】
本体ケーシング２の背面１４に形成された取付開口部１８は、本体ケーシング２の前面６に形成された残量確認開口部８と同様に、一端側から他端側まで連続して幅広に開口して形成され、本体ケーシング２の背面１４において上方に形成されている。
【００５５】
一方、施工壁面１２に固定されるバックハンガー１６の上部には、本体ケーシング２の上面４の裏側に当接する当接面１７が形成されており、開口して形成された取付開口部１８を介してバックハンガー１６の当接面１７が本体ケーシング２の上面４の裏側に当接する。
【００５６】
バックハンガー１６の当接面１７が本体ケーシング２の上面４の裏側に当接するため、本体ケーシング２の垂直方向の加重が加わった場合、バックハンガー１６を介して施工壁面１２へ加重を伝えて加重を分散させることができる。
【００５７】
尚、バックハンガー１６は、本体ケーシング２の上面４の裏側において、後方側かつ幅方向全体に当接する構成にすることが好ましく、その構成によって本体ケーシング２の垂直方向に加わった加重を施工壁面１２に伝えてやすくすることができる。
【００５８】
また、図４に示すように、背面の下端に前方からビスを挿入可能なビス孔が形成されている。ロールペーパーホルダーを直接施工壁面に固定できるとともに、ロールペーパーホルダーの固定箇所を見えにくくすることができ、作業性を確保しつつデザイン性に優れるものとすることができる。
【００５９】
図６は、図１のロールペーパーホルダーをトイレルーム３０に設置した状態を示す図である。便器洗浄ボタン３２はロールペーパーホルダー１の上方に設置され、呼出ボタン３６は便器洗浄ボタン３２と同じ高さで便器３８後方に設置されている。
【００６０】
近年のユニバーサルデザインに対応した公共トイレ操作系ＪＩＳ（ＪＩＳ  Ｓ００２６）では、高齢者や視覚に障害のある方にも、わかりやすいように、便器上面先端を基点としてその上にロールペーパーホルダー１を設置し、さらにその上に便器洗浄ボタン３２と同じ高さのある程度離れた位置に呼出ボタン３６を配置することが決められている。
【００６１】
本発明の実施形態であるロールペーパーホルダー１は、ロールペーパーホルダー１の上方に便器洗浄ボタン３２や呼出ボタン３６を配置させる場合でも、複数のロールペーパーの中心軸を横にした状態で水平方向に並置して収納可能であるため、補充作業者の作業性等には変わりがない。
【００６２】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００６３】
１  ：ロールペーパーホルダー
２  ：本体ケーシング
３  ：載置部
４  ：上面
６  ：前面
８  ：残量確認開口部
１０：金属板体
１２：施工壁面
１４：背面
１６：バックハンガー
１７：当接面
１８：取付開口部
２０：ビス孔
２２：引出開口２３：側面
２４：扉体
２６：折り返し部
２８：鍵部
３０：トイレルーム
３２：便所洗浄ボタン
３４：温水洗浄便座洗浄ボタン
３６：呼出ボタン
３８：便器
４０：手摺
４２：ストッパー
４４：紙切歯
４６：固定部
４８：下降部
５０：上昇部
５２：側壁部
５４：載置開口部
【図１】
2013153941.tif 000003
【図２】
2013153941.tif 000004
【図３】
2013153941.tif 000005
【図４】
2013153941.tif 000006
【図５】
2013153941.tif 000007
【図６】
2013153941.tif 000008